(57)【要約】      （修正有）【課題】水流によって容器が動きにくく、設置面の水はけを良くすることによって設置面を清潔に保つことができる、接触面積低減容器を提供する。【解決手段】接触面積低減容器は、本体１と蓋体２が係合一体化できる容器であって、本体１底面部又は蓋体２の上面部に３以上の突起３を有し、本体１又は蓋体２と設置面の間には空間ができる。【選択図】図１ａ
0003235396.tif 000002
【実用新案登録請求の範囲】
【請求項１】
本体（１）と蓋体（２）が係合一体化できる容器であって、
前記本体（１）底面部又は蓋体（２）の上面部に３以上の突起（３）を有し、前記容器又は前記蓋体（２）と設置面の間には空間ができる、ことを特徴とする接触面積低減容器。
【請求項２】
前記容器の素材が合成樹脂、ガラス、金属からなる、請求項１に記載の接触面積低減容器。
【請求項３】
前記突起（３）の形状が球状、半球状、錐体状、針状であることを特徴とする、請求項１又は２に記載の接触面積低減容器。
【請求項４】
前記突起（３）を設けた底面部又は蓋体（２）の上面部が、凹部又は傾斜を設けたことを特徴とする、請求項１乃至３に記載の接触面積低減容器。
【考案の詳細な説明】
【技術分野】
【０００１】
本考案は接触面積低減容器に関し、詳しくは水流によって容器が動きにくく、設置面の水はけを良くすることによって、設置面を清潔に保つことができる、接触面積低減容器に関する。
【背景技術】
【０００２】
図５は、従来例としてのディスペンサ付き容器の斜視図である。詳しくは、本体１とディスペンサ（蓋体２）が係合一体化できる容器であって、前記本体１底面部には突起３を有さず、前記容器と設置面の間には空間ができない、ことを特徴とする容器である。
上記の特徴から、図５に示す容器は、設置面との接触面積が大きく、水流によって受ける力が大きくなり、意図せず動くという不都合が生じている。
容器底面と設置面の間に水が滞留することで、カビや雑菌が繁殖しやすく、衛生的な問題も発生している。
【０００３】
図６は、従来例としてのチューブ容器の斜視図である。詳しくは、本体１と蓋体２が係合一体化できるチューブ容器であって、前記蓋体２の上面部に突起３を有さず、前記蓋体２と設置面の間には空間ができない、ことを特徴とする容器である。
上記の特徴から、図６に示す容器は、設置面との接触面積が大きく、水流によって受ける力が大きくなり、意図せず動くという不都合が生じている。
容器蓋体２上面と設置面の間に水が滞留することで、カビや雑菌が繁殖しやすく、衛生的な問題も発生している。
【０００４】
図７ａ乃至図７ｃは、従来例としての特許文献１の正面図、側面図及び底面図である。詳しくは、本体１と蓋体２が係合一体化できるチューブ容器であって、前記蓋体２の上面部に複数の空壁４を形成することで、前記蓋体２と設置面の間には空間ができる、ことを特徴とする容器である。
上記の特徴から、容器蓋体２と設置面の間に通気性のある空間ができるものの、設置面の水はけ自体は悪く、その構造の複雑さ故にキャップ内部にも水分が滞留することで、カビや雑菌が繁殖しやすく、依然として衛生的な問題が発生している。
【先行技術文献】
【特許文献】
【０００５】
【特許文献１】特開２００５−３２９９６６号公報
【考案の概要】
【考案が解決しようとする課題】
【０００６】
上述の通り、従来の容器は設置面と容器の接地面積が大きく、容器が水流によって意図せず動く不都合や、設置面に水分が滞留することによるカビや雑菌の繁殖などの衛生的な問題を抱えている。
【０００７】
本考案は、上記のような問題を解決しようとするものであり、水流によって容器が動きにくく、設置面の水はけを良くすることによって、設置面を清潔に保つことができる接触面積低減容器を提供することを目的とする。
【課題を解決するための手段】
【０００８】
請求項１に係る考案は、本体１と蓋体２が係合一体化できる容器であって、前記本体１底面部又は蓋体２の上面部に３以上の突起３を有し、前記容器又は前記蓋体２と設置面の間には空間ができる、ことを特徴とする接触面積低減容器に関する。
【０００９】
請求項２に係る考案は、前記容器の素材が合成樹脂、ガラス、金属からなる、請求項１に記載の接触面積低減容器に関する。
【００１０】
請求項３に係る考案は、前記突起３の形状が球状、半球状、錐体状、針状であることを特徴とする、請求項１又は２に記載の接触面積低減容器に関する。
【００１１】
請求項４に係る考案は、前記突起３を設けた底面部又は蓋体２の上面部が、凹部又は傾斜を設けたことを特徴とする、請求項１乃至３に記載の接触面積低減容器に関する。
【考案の効果】
【００１２】
請求項１に係る考案によれば、本体１と蓋体２が係合一体化できる容器であって、前記本体１底面部又は蓋体２の上面部に３以上の突起３を有し、前記容器又は前記蓋体２と設置面の間には空間ができる、ことを特徴とする接触面積低減容器に関することから、前記容器は突起３を接地点とし、安定して設置することが可能となる。
接地点である突起３で容器を支えることから、設置面と容器の接地面積が小さく、水が容器と設置面の間の空間を流れ、水流による影響を受けにくいため、容器は動きにくい。
設置面と容器の間に空間ができるため、設置面に水が滞留することを防ぐことが可能となり、カビや雑菌の繁殖を抑制し、設置面を清潔に保つことが可能となる。
【００１３】
請求項２に係る考案によれば、前記容器の素材が合成樹脂、ガラス、金属からなる、請求項１に記載の接触面積低減容器に関することから、製造工程が簡便で、様々な容器に適用することが可能となる。
【００１４】
請求項３に係る考案によれば、前記突起３の形状が球状、半球状、錐体状、針状であることを特徴とする、請求項１又は２に記載の接触面積低減容器に関することから、接地面積をより小さくすることが可能となる。
水分が滞留しやすい接地面そのものが小さくなることから、設置面をより清潔に保つことが可能となる。
【００１５】
請求項４に係る考案によれば、前記突起３を設けた底面部又は蓋体２の上面部が、凹部又は傾斜を設けたことを特徴とする、請求項１乃至３に記載の接触面積低減容器に関することから、容器底面または蓋体２上面部へ付着した水分が容器から流れ落ちるため、設置面のみならず容器そのものについても清潔に保つことが可能となる。
容器底面または蓋体２上面部が凹んでいることから、上部に凸部が存在する容器を、安定して積み重ねることが可能となる。
【図面の簡単な説明】
【００１６】
【図１ａ】本考案における第１実施形態の接触面積低減容器の斜視図である。
【図１ｂ】本考案における第１実施形態の接触面積低減容器の底面図である。
【図２ａ】本考案における第２実施形態の接触面積低減容器の斜視図である。
【図２ｂ】本考案における第２実施形態の接触面積低減容器の蓋体２の上面図である。
【図３ａ】本考案における第３実施形態の接触面積低減容器の斜視図である。
【図３ｂ】本考案における第３実施形態の接触面積低減容器の正面図である。
【図３ｃ】本考案における第３実施形態の接触面積低減容器の底面側からみた斜視図である。
【図４ａ】本考案における第４実施形態の接触面積低減容器の斜視図である。
【図４ｂ】本考案における第４実施形態の接触面積低減容器の正面図である。
【図４ｃ】本考案における第４実施形態の接触面積低減容器の底面側からみた斜視図である。
【図５】従来例としてのディスペンサ付き容器の斜視図である。
【図６】従来例としてのチューブ容器の斜視図である。
【図７ａ】従来例としての特許文献１の正面図である。
【図７ｂ】従来例としての特許文献１の側面図である。
【図７ｃ】従来例としての特許文献１の底面図である。
【考案を実施するための形態】
【００１７】
以下、本考案に係る接触面積低減容器の第１の実施形態について、図面を参考にしながら詳細を説明する。（図１ａ及び図１ｂ参照）
【００１８】
図１ａは本考案に係る第１実施形態の接触面積低減容器の斜視図である。
図１ｂは本考案に係る第１実施形態の接触面積低減容器の底面図である。
第１実施形態は、本体１とディスペンサ（蓋体２）が係合一体化できる容器であって、球状の突起３を３つ有することで、前記容器と設置面の間には空間ができる、ことを特徴とする接触面積低減容器である。
【００１９】
上記の特徴により、前記容器又は前記蓋体２と設置面の間には空間ができ、設置面と容器の接地面積が小さく、水が容器と設置面の間の空間を流れることから、水流による影響を受けにくく、容器は動きにくい。また、設置面の水分の滞留を防ぐことが可能となり、カビや雑菌の繁殖を抑制し、設置面を清潔に保つことが可能となる。
【００２０】
本実施形態では、突起３の数は３つであるが、容器の安定性を高めるために、容器底面の形状によって突起３の数は適宜変更できるものとする。
より好ましくは、底面の形状が多角形の場合、各頂点付近にそれぞれ突起３を設けることが望ましい。円状・楕円状等の場合は突起３は４以上設けることが望ましく、より好ましくは４乃至７つの突起３を設けることが望ましい。
本考案の解決課題の目的が達成される限り、突起３の場所、数を自由に決定することができるものとする。
蓋体２はねじ込み式の蓋であってもよいし、ディスペンサ、ヒンジ付きのキャップであってもよい。
【００２１】
以下、本考案に係る接触面積低減容器の第２の実施形態について、図面を参考にしながら詳細を説明する。（図２ａ及び図２ｂ参照）
【００２２】
図２ａは本考案に係る第２実施形態の接触面積低減容器の斜視図である。
図２ｂは本考案に係る第２実施形態の接触面積低減容器の蓋体２の上面図である。
第２実施形態は、本体１と蓋体２が係合一体化できるチューブ容器であって、前記蓋体２の上面部に３つの突起３を有することで、前記蓋体２と設置面の間には空間ができる、ことを特徴とする接触面積低減容器である。
【００２３】
上記の特徴により、前記容器又は前記蓋体２と設置面の間には空間ができ、設置面と容器の接地面積が小さく、水が容器と設置面の間の空間を流れることから、水流による影響を受けにくく、容器は動きにくい。また、設置面の水分の滞留を防ぐことが可能となり、カビや雑菌の繁殖を抑制し、設置面を清潔に保つことが可能となる。
【００２４】
突起３の数や容器及び蓋体２の形状は第１実施形態と同様に適宜変更できるものとする。
【００２５】
以下、本考案に係る接触面積低減容器の第３実施形態について、図面を参考にしながら詳細を説明する。（図３ａ、３ｂ及び３ｃ参照）
【００２６】
図３ａは本考案に係る第３実施形態の接触面積低減容器の斜視図である。
図３ｂは本考案に係る第３実施形態の接触面積低減容器の正面図である。
図３ｃは本考案に係る第３実施形態の接触面積低減容器の底面側から見た斜視図である。
第３実施形態は、本体１とディスペンサ（蓋体２）が係合一体化できる容器であって、球状の突起３を４つ有することで、前記容器と設置面の間には空間ができ、底面部は、凹部及び傾斜を設けたことを特徴とする接触面積低減容器である。
【００２７】
上記の特徴により、前記容器と設置面の間には空間ができ、設置面と容器の接地面積が小さく、水が容器と設置面の間の空間を流れることから、水流による影響を受けにくく、容器は動きにくい。また、設置面及び容器底面への水分の滞留を防ぐことが可能となり、カビや雑菌の繁殖を抑制し、設置面及び容器底面を清潔に保つことが可能となる。
底面に凹部を有していることから、容器の上面にディスペンサ等の凸部が存在しても、容器を上方向に重ねて置くことが可能となる。例えば、店頭での陳列が容易になるといった利点が生まれる。
【００２８】
本実施形態では、底面の凹部は球状に凹んでいる形状であるが、凹部の深さや凹部の形状は複数の立体を組み合わせるものも含め、任意に選べるものとする。
先端部は安全の為に球状の突起３を設けたが、突起３の形状等についても任意に選べるものとする。
突起３の数についても、凹部の形状によって任意に決められるものとする。
【００２９】
以下、本考案に係る接触面積低減容器の第４実施形態について、図面を参考にしながら詳細を説明する。（図４ａ、４ｂ及び４ｃ参照）
【００３０】
図４ａは本考案に係る第４実施形態の接触面積低減容器の斜視図である。
図４ｂは本考案に係る第４実施形態の接触面積低減容器の正面図である。
図４ｃは本考案に係る第４実施形態の接触面積低減容器の底面側から見た斜視図である。
第４実施形態は、本体１とディスペンサ（蓋体２）が係合一体化できる容器であって、球状の突起３を４つ有することで、前記容器と設置面の間には空間ができ、底面部は、凹部及び傾斜を設けたことを特徴とする接触面積低減容器である。
【００３１】
上記の特徴により、前記容器又は前記蓋体２と設置面の間には空間ができ、設置面と容器の接地面積が小さく、水が容器と設置面の間の空間を流れることから、水流による影響を受けにくく、容器は動きにくい。また、設置面及び容器底面への水分の滞留を防ぐことが可能となり、カビや雑菌の繁殖を抑制し、設置面及び容器底面を清潔に保つことが可能となる。
底面に凹部を有していることから、容器の上面にディスペンサ等の凸部が存在しても、容器を上方向に重ねて置くことが可能となる。例えば、店頭での陳列が容易になるといった利点が生まれる。
【００３２】
本実施形態では、底面の凹部の形状は、平面に４つの等しい四角錐が配置されるような形状で構成されているが、底面の形状は四角錐の組み合わせに限らず、底面が傾斜となり、容器底面への水分の滞留を抑制出来る立体的な構造であれば、複数の異なる立体を組み合わせるものも含め、形状は問わないものとする。
先端部は安全の為に球状の突起３を設けたが、突起３の形状等についても任意に選べるものとする。
突起３の数についても、凹部の形状によって任意に決められるものとする。
【産業上の利用可能性】
【００３３】
本考案の接触面積低減容器は、水流によって容器が動きにくく、設置面の水はけを良くすることによって、設置面を清潔に保つことができることから、シンク、バストイレタリー関連用品の分野で利用価値が高い。
【符号の説明】
【００３４】
１  本体
２  蓋体
３  突起
【図１ａ】
0003235396.tif 000003
【図１ｂ】
0003235396.tif 000004
【図２ａ】
0003235396.tif 000005
【図２ｂ】
0003235396.tif 000006
【図３ａ】
0003235396.tif 000007
【図３ｂ】
0003235396.tif 000008
【図３ｃ】
0003235396.tif 000009
【図４ａ】
0003235396.tif 000010
【図４ｂ】
0003235396.tif 000011
【図４ｃ】
0003235396.tif 000012
【図５】
0003235396.tif 000013
【図６】
0003235396.tif 000014
【図７ａ】
0003235396.tif 000015
【図７ｂ】
0003235396.tif 000016
【図７ｃ】
0003235396.tif 000017